【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
隣り合うロータ羽根（３０）のプラットフォーム（５０）の間において周方向の取り付けスロット（５４）に挿入されるロック用スペーサアセンブリ（１００）であって、
前記隣り合うロータ羽根（３０）のプラットフォーム（５０）の間の空間に収まるように構成され、プラットフォーム部分（１１０）および根元部分（１１２）を備えており、前記根元部分（１１２）が前記取り付けスロット（５４）の凹部に突出するように構成された外形を有する第１の突出部（１２２）を定めており、前記プラットフォーム部分（１１０）および前記根元部分（１１２）が第１の内面（１２０）を定めており、前記第１の内面（１２０）は径方向に広がる平面に対して鋭角に傾けられている第１の端部ピース（１０２）と、
前記第１の内面（１２０）と前記取り付けスロット（５４）の側壁部分との間に収まるように構成され、プラットフォーム部分（１２８）および根元部分（１３０）を備えており、前記根元部分（１３０）が前記取り付けスロット（５４）の凹部に突出するように構成された外形を有する第２の突出部（１４０）を定めており、前記プラットフォーム部分（１２８）および前記根元部分（１３０）が前記径方向に広がる平面に対して鋭角に傾けられた第２の内面（１３８）を定めており、前記第２の内面（１３８）が前記第１の内面（１２０）と結合するように構成されている第２の端部ピース（１０４）と、
前記第１の端部ピース（１０２）の前記第１の内面（１２０）とプラットフォーム部分（１１０）および前記第２の端部ピース（１０４）の第２の内面（１３８）と根元部分（１３０）を貫いて延びる貫通穴（１４６）と、
前記貫通穴（１４６）を通って延びる固定具（１０６）と
を備えており、
前記固定具（１０６）の一端が前記第２の端部ピース（１０４）の根元部分（１３０）に係合するように構成され、
前記固定具（１０６）が、前記第１の端部ピース（１０２）により、完全に囲まれているロック用スペーサアセンブリ（１００）。
【請求項２】
前記第１の内面（１２０）の角度および前記第２の内面（１３８）の角度が、合同である請求項１に記載のロック用スペーサアセンブリ（１００）。
【請求項３】
前記貫通穴（１４６）のうちの前記第２の端部ピース（１０４）の根元部分（１３０）を貫いて延びる部分が、ねじ山を有している請求項１または２に記載のロック用スペーサアセンブリ（１００）。
【請求項４】
前記貫通穴（１４６）が、前記第１および第２の端部ピース（１０２、１０４）を径方向に貫いて延びている請求項１乃至３のいずれかに記載のロック用スペーサアセンブリ（１００）。
【請求項５】
前記固定具（１０６）の少なくとも一部分が、ねじ山を有している請求項１乃至４のいずれかに記載のロック用スペーサアセンブリ（１００）。
【請求項６】
前記固定具（１０６）の頭部が、前記第１の端部ピース（１０２）に凹まされている請求項１乃至５のいずれかに記載のロック用スペーサアセンブリ（１００）。
【請求項７】
前記固定具（１０６）が、セットねじまたは圧入ピンの一方を備えている請求項１乃至６のいずれかに記載のロック用スペーサアセンブリ（１００）。
【請求項８】
周方向に延びる連続的な取り付けスロット（５４）を定めている前側および後ろ側ポスト（５６）を備えているロータディスク（２８）と、
複数のプラットフォーム（５０）のうちの１つからそれぞれ延びており、前記複数のプラットフォーム（５０）の各々が内側に延びている根元によって前記取り付けスロット（５４）に固定される複数のロータ羽根（３０）と、
前記複数のプラットフォーム（５０）のうちの隣り合う２つのプラットフォームの間の空間に配置されるロック用スペーサアセンブリ（１００）と
を備えるロータアセンブリであって、
前記ロック用スペーサアセンブリ（１００）が、
前記プラットフォーム（５０）の間の前記空間に収まるように構成され、プラットフォーム部分（１１０）および根元部分（１１２）を備えており、前記根元部分（１１２）が前記取り付けスロット（５４）の凹部に突出するように構成された外形を有する第１の突出部（１２２）を定めており、前記プラットフォーム部分（１１０）および前記根元部分（１１２）が第１の内面（１２０）を定めており、前記第１の内面（１２０）は径方向に広がる平面に対して鋭角に傾けられている第１の端部ピース（１０２）と、
前記第１の内面（１２０）と前記取り付けスロット（５４）の側壁部分との間に収まるように構成され、プラットフォーム部分（１２８）および根元部分（１３０）を備えており、前記根元部分（１３０）が前記取り付けスロット（５４）の凹部に突出するように構成された外形を有する第２の突出部（１４０）を定めており、前記プラットフォーム部分（１２８）および前記根元部分（１３０）が前記径方向に広がる平面に対して鋭角に傾けられた第２の内面（１３８）を定めており、前記第２の内面（１３８）が前記第１の内面（１２０）と結合するように構成されている第２の端部ピース（１０４）と、
前記第１の端部ピース（１０２）の前記第１の内面（１２０）とプラットフォーム部分（１１０）および前記第２の端部ピース（１０４）の第２の内面（１３８）と根元部分（１３０）を貫いて延びる貫通穴（１４６）と、
前記貫通穴（１４６）を通って延びる固定具（１０６）と
を備えており、
前記固定具（１０６）の一端が前記第２の端部ピース（１０４）の根元部分（１３０）に係合するように構成され、
前記固定具（１０６）が、前記第１の端部ピース（１０２）により、完全に囲まれているロータアセンブリ。
【請求項９】
前記第１の端部ピース（１０２）の前記第１の内面（１２０）の角度および前記第２の端部ピース（１０４）の前記第２の内面（１３８）の角度が、合同であり、
前記貫通穴（１４６）の少なくとも一部分が、ねじ山を有し、
前記貫通穴（１４６）が、前記第１および第２の端部ピース（１０２、１０４）を径方向に貫いて延び、
前記固定具（１０６）の少なくとも一部分が、ねじ山を有し、
前記固定具（１０６）が、頭部を備えており、該頭部が、前記第１の端部ピース（１０２）の前記プラットフォーム部分（１１０）に凹まされ、
前記ロータディスク（２８）が、前記取り付けスロット（５４）に前記第１および第２の端部ピース（１０２、１０４）を挿入するために、前記前側および後ろ側ポストの少なくとも一方に定められたハーフピッチの切り欠きを備えている請求項８に記載のロータアセンブリ。
【請求項１０】
圧縮機と、
燃焼器と、
タービンと
を備えており、
前記圧縮機または前記タービンの少なくとも一方が、  周方向に延びる連続的な取り付けスロット（５４）を定めている前側および後ろ側ポストを備えているロータディスク（２８）と、
複数のプラットフォーム（５０）のうちの１つからそれぞれ延びており、前記複数のプラットフォーム（５０）の各々が内側に延びている根元によって前記取り付けスロット（５４）に固定される複数のロータ羽根（３０）と、
前記複数のプラットフォーム（５０）のうちの少なくとも２つの間の空間に配置されるロック用スペーサアセンブリ（１００）と
を備え、
前記ロック用スペーサアセンブリ（１００）が、
隣り合うロータ羽根（３０）のプラットフォーム（５０）の間の前記空間に収まるように構成され、プラットフォーム部分（１１０）および根元部分（１１２）を備えており、前記根元部分（１１２）が前記取り付けスロット（５４）の凹部に突出するように構成された外形を有する第１の突出部（１２２）を定めており、前記プラットフォーム部分（１１０）および前記根元部分（１１２）が第１の内面（１２０）を定めており、前記第１の内面（１２０）は径方向に広がる平面に対して鋭角に傾けられている第１の端部ピース（１０２）と、
前記第１の内面（１２０）と前記取り付けスロット（５４）の側壁部分との間に収まるように構成され、プラットフォーム部分（１２８）および根元部分（１３０）を備えており、前記根元部分（１３０）が前記取り付けスロット（５４）の凹部に突出するように構成された外形を有する第２の突出部（１４０）を定めており、前記プラットフォーム部分（１２８）および前記根元部分（１３０）が前記径方向に広がる平面に対して鋭角に傾けられた第２の内面（１３８）を定めており、前記第２の内面（１３８）が前記第１の内面（１２０）と結合するように構成されている第２の端部ピース（１０４）と、
前記第１の端部ピース（１０２）の前記第１の内面（１２０）とプラットフォーム部分（１１０）および前記第２の端部ピース（１０４）の第２の内面（１３８）と根元部分（１３０）を貫いて延びる貫通穴（１４６）と、
前記貫通穴（１４６）を通って延びる固定具（１０６）と
を備えており、
前記固定具（１０６）の一端が前記第２の端部ピース（１０４）の根元部分（１３０）に係合するように構成され、
前記固定具（１０６）が、前記第１の端部ピース（１０２）により、完全に囲まれているターボ機械。
【請求項１１】
前記第１の端部ピース（１０２）の前記第１の内面（１２０）の角度および前記第２の端部ピース（１０４）の前記第２の内面（１３８）の角度が、合同であり、
前記貫通穴（１４６）のうちの前記第２の端部ピース（１０４）の根元部分（１３０）を貫いて延びる部分が、ねじ山を有し、
前記貫通穴（１４６）が、前記第１および第２の端部ピース（１０２、１０４）を径方向に貫いて延び、
前記固定具（１０６）の少なくとも一部分が、ねじ山を有し、
前記固定具（１０６）の頭部が、前記第１の端部ピース（１０２）に凹まされている請求項１０に記載のターボ機械。